(57)【要約】【課題】異物が進入する可能性を少しでも低減させることができ、更に美観を損なうことなく、よりテーブル板を引き出し易い椅子を提供すること。【解決手段】テーブル板１１が肘掛部４に沿った姿勢でテーブル箱収納空間２２に収容された状態から第１回転軸心１３ｂ回りに回転した場合にテーブル板１１が肘掛部４の外部に引き出され、さらにその状態から第２回転軸心１３ｃ回りに回転した場合に座面２ａの前部上方に載置面１１ｃを構成する姿勢で配置される椅子１であって、テーブル板１１が肘掛部４のテーブル箱収納空間２２に収容された場合にテーブル板１１の一部をテーブル箱収納空間２２の開口から突出した状態に維持する係止部１４ａと、テーブル板１１が肘掛部４のテーブル箱収納空間２２に収容された状態でその開口を塞ぐ蓋部材４ａとを備えたことを特徴とする。【選択図】        図３
2011217845.tif 000002
【特許請求の範囲】
【請求項１】
上部に座面が構成された座部と、
前記座部の座面よりも上方に延在する状態で前記座部の側方に配設し、内部に収納空間を有した肘掛部と、
前記肘掛部との間に介在させた回転機構により前記収納空間に対して出し入れ可能に支持されたテーブル板と
を備えた椅子であって、
前記テーブル板が前記肘掛部の収納空間に収容された場合に前記テーブル板の一部を前記収納空間の開口から突出した状態に維持する係止部と、
前記テーブル板が前記肘掛部の収納空間に収容された状態でその開口を塞ぐ蓋部材と
を備えたことを特徴とする椅子。
【請求項２】
上部に座面が構成された座部と、
前記座部の座面よりも上方に延在する状態で前記座部の側方に配設し、内部に収納空間を有した肘掛部と、
前記肘掛部との間に介在させた回転機構により前記収納空間に対して出し入れ可能に支持されたテーブル板と
を備えた椅子であって、
前記テーブル板を収納するテーブル板収納箱を、前記肘掛部の収納空間に着脱可能に配設したことを特徴とする椅子。
【請求項３】
前記回転機構は、前記肘掛部に対して前記テーブル板を前記座部の左右方向に沿って延在する第１回転軸心回りに回転可能、かつこの第１回転軸心とは異なる方向に延在する第２回転軸心回りに回転可能に支持し、
前記テーブル板が前記肘掛部に沿った姿勢で前記収納空間に収容された状態から前記第１回転軸心回りに回転した場合に前記テーブル板が前記肘掛部の外部に引き出され、さらにその状態から前記第２回転軸心回りに回転した場合に前記座面の前部上方に載置面を構成する姿勢で配置されることを特徴とする請求項１または請求項２に記載の椅子。
【発明の詳細な説明】
【技術分野】
【０００１】
本発明は、出し入れ可能なテーブル板を備えた椅子に関するものである。
【背景技術】
【０００２】
従来、例えば、劇場や会議場等に配置される椅子において、使用者の任意に出し入れ可能なテーブル板を椅子の側部に設けたものがある（例えば特許文献１参照）。この椅子は、肘掛と椅子の脚を兼ねた側脚部を備えており、この側脚部にテーブル板が収納されている。側脚部は、その前面に開口を有し、その内部には開口と連通した収納空間が形成されている。テーブル板は、この収納空間に収納されており、椅子の座面の左右方向に沿って延在する第１回転軸心回りに回転して、肘掛部内から引き出された状態となり、その状態から第１回転軸心と交差する第２回転軸心回りに回転して、座面の前部上方に水平な状態に配置されるようになっている。
【０００３】
この椅子は、テーブル板を引き出す際には、開口に指を入れてテーブル板の端部に形成された凹部に指をかけて引っ張り出すものである。
【０００４】
また、このような椅子においては、側脚部内にテーブル板を収納する収納箱を設けることがある。収納箱を設けると、側脚部内の他の部分にテーブル板が、衝突することを防止することができる。
【先行技術文献】
【特許文献】
【０００５】
【特許文献１】特開２００４−３１３４２２号公報
【発明の概要】
【発明が解決しようとする課題】
【０００６】
しかし、テーブル板を引き出す開口は、開口から異物が進入する可能性を少しでも低減するため及び美観の観点から、小さめに形成されている。従って、テーブル板を引き出す際に、指を開口内部に入れ難く、テーブル板を引き出し損ねる可能性があるという問題があった。
【０００７】
また、テーブル板の上でメモなどを書いていた際に、鉛筆を収納箱内に落としてしまった場合、収納箱内からその鉛筆を取り出すことが困難であるという問題があった。
【０００８】
そこで、本発明はこのような従来の問題に鑑み、異物が進入する可能性を少しでも低減させることができ、更に美観を損なうことなく、よりテーブル板を引き出し易い椅子を提供することを目的とする。
【０００９】
また、本発明は、収納箱内に鉛筆などの異物を落とした際にも、容易にこれを取り出すことが可能な椅子を提供することを目的とする。
【課題を解決するための手段】
【００１０】
上述した課題を解決し、所期の目的を達成するための本発明にかかる椅子は、上部に座面が構成された座部と、前記座部の座面よりも上方に延在する状態で前記座部の側方に配設し、内部に収納空間を有した肘掛部と、前記肘掛部との間に介在させた回転機構により前記収納空間に対して出し入れ可能に支持されたテーブル板とを備えた椅子であって、前記テーブル板が前記肘掛部の収納空間に収容された場合に前記テーブル板の一部を前記収納空間の開口から突出した状態に維持する係止部と、前記テーブル板が前記肘掛部の収納空間に収容された状態でその開口を塞ぐ蓋部材とを備えたことを特徴とする。
【００１１】
また、本発明にかかる椅子は、上部に座面が構成された座部と、前記座部の座面よりも上方に延在する状態で前記座部の側方に配設し、内部に収納空間を有した肘掛部と、前記肘掛部との間に介在させた回転機構により前記収納空間に対して出し入れ可能に支持されたテーブル板とを備えた椅子であって、前記テーブル板を収納するテーブル板収納箱を、前記肘掛部の収納空間に着脱可能に配設したことを特徴とする。
【００１２】
また、本発明は、上述した椅子において、前記回転機構は、前記肘掛部に対して前記テーブル板を前記座部の左右方向に沿って延在する第１回転軸心回りに回転可能、かつこの第１回転軸心とは異なる方向に延在する第２回転軸心回りに回転可能に支持し、前記テーブル板が前記肘掛部に沿った姿勢で前記収納空間に収容された状態から前記第１回転軸心回りに回転した場合に前記テーブル板が前記肘掛部の外部に引き出され、さらにその状態から前記第２回転軸心回りに回転した場合に前記座面の前部上方に載置面を構成する姿勢で配置されることを特徴とする。
【発明の効果】
【００１３】
本発明によれば、肘掛部の収納空間に収納された状態でテーブル板の一部が開口から突出した状態となるため、収納空間の開口を小さく構成した場合にも外部に引き出す操作を容易に行うことが可能となる。しかも、テーブル板を収納空間に収納した状態では、収納空間の開口を蓋部材によって塞ぐことができるため、例えば応接室に設置した場合にも、椅子としても美観を何ら損なう恐れがない。
【００１４】
また、本発明によれば、テーブル板収納箱が肘掛部の収納空間に着脱可能に配設してあるため、異物を落としても、テーブル板収納箱を肘掛部内から取り出すことによって、テーブル板収納箱内から容易に取り出すことができる。
【図面の簡単な説明】
【００１５】
【図１】図１は、本発明の実施の形態にかかる椅子を示す斜視図である。
【図２】図２は、図１に示した椅子の断面側面図である。
【図３】図３は、図１に示した椅子の肘掛部を示すもので、（ａ）は蓋部材を閉めた状態を示す断面側面図、（ｂ）は蓋部材を開けた状態を示す断面側面図である。
【図４】図４は、図１に示した椅子の要部を拡大して示す図である。
【図５】図５は、図３の（ａ）におけるＡ−Ａ線断面図である。
【図６】図６は、図１に示した椅子の肘掛部に設けた蓋部材を開けた状態を示す平面図である。
【図７】図７は、図１に示した椅子のテーブル板収納箱を示す斜視図である。
【図８】図８は、図１に示した椅子の動作状態を示す斜視図である。
【図９】図９は、図１に示した椅子の動作状態を示す斜視図である。
【図１０】図１０は、図１に示した椅子の動作状態を示す斜視図である。
【図１１】図１１は、図１に示した椅子の動作状態を示す斜視図である。
【発明を実施するための形態】
【００１６】
以下に、本発明にかかる椅子の実施の形態を図１〜図１１に基づいて詳細に説明する。図１は、本発明の実施の形態である椅子を示している。この椅子１は、所謂応接用の椅子１であり、座部２と、左右一対の肘掛部３，４と、背もたれ部５とを備えている。
【００１７】
座部２は、使用者が座る部分であり、略直方体状に形成され、上面が座面２ａとなっている。座部２の後方には、背もたれ部５が配設されている。背もたれ部５は、使用者が座部２に座った際に背中で寄りかかる部分であり、座部２から上方に延在している。肘掛部３，４は、座部２の左右側方に配設されている。肘掛部３，４の上端は、それぞれ座部２の座面２ａよりも上方に延在している。また、肘掛部３，４の下端は、座部２より下方にまで延在しており、座部２を支持する脚を兼ねている。これら肘掛部３，４の下面には、図２に示すようにキャスター６，７が配設されており、椅子１を持ち上げずに移動させることができるようになっている。
【００１８】
一方側（図示の例では正面向かって左側）の肘掛部４は、図３の（ａ）及び図３の（ｂ）に示すように、上端が開口した肘掛部外殻４ｂと、肘掛部外殻４ｂの開口を開閉可能に配設された蓋部材４ａとを有する。肘掛部外殻４ｂは、上端が開口した直方体箱状に形成されている。肘掛部外殻４ｂの内部には、テーブル板１１及びテーブル板収納箱２１が配設されている。
【００１９】
テーブル板１１は、略平板状を成し、長手方向の一方側端部が円弧状となるように形成されたもので、肘掛部４に沿った姿勢で肘掛部外殻４ｂの内部に収容されている。テーブル板１１の長手方向の他方側端部であって、短手方向の他方側端部には、取り出し部１１ａが形成されている。取り出し部１１ａには、引っ掛け部１１ｂが形成されている。引っ掛け部１１ｂは、略円形状に開口した凹部であり、テーブル板１１を引き出す際に、指を引っ掛ける部分である。
【００２０】
また、テーブル板１１の長手方向の他方側端部であって、短手方向の一方側端部には、回転機構取付部１２が形成されている。回転機構取付部１２は、略板状に形成され、テーブル板１１の裏面に重ね合わされるように配設されている。回転機構取付部１２には、回転機構１３が取り付けられている。テーブル板１１は、この回転機構１３を介して、肘掛部外殻４ｂの取付ブラケット１４に取り付けられている。
【００２１】
回転機構１３は、ヒンジプレート１３ａと、ヒンジプレート１３ａ及び取付ブラケット１４の間を回転可能に支持させる第１回転軸心１３ｂと、ヒンジプレート１３ａ及び回転機構取付部１２の間を回転可能に支持させる第２回転軸心１３ｃとを有して構成したものである。第１回転軸心１３ｂは、座面２ａの左右方向に沿って延在するように配設されている。即ち、第１回転軸心１３ｂは、椅子１を水平面上に設置した際に、座部２の左右方向に沿って水平に延在するように配設されている。第２回転軸心１３ｃは、第１回転軸心１３ｂに対してねじれの位置の関係となり、かつ第１回転軸心１３ｂに対して略直交する平面上に位置するように配設されている。
【００２２】
取付ブラケット１４とヒンジプレート１３ａとの間には、係止部１４ａが形成されている。係止部１４ａは、テーブル板１１が肘掛部４の内部に収容された状態で、テーブル板１１の取り出し部１１ａが肘掛部４の外部に突出するようにテーブル板１１を係止するためのものである。本実施の形態の係止部１４ａは、ヒンジプレート１３ａに当接することによってその回転範囲を制限するもので、図４に示すように、取付ブラケット１４においてヒンジプレート１３ａの回転移動域に一体に形成されている。ヒンジプレート１３ａがこの係止部１４ａに当接した場合には、図３の（ｂ）に示すように、テーブル板１１の収納位置が規定され、テーブル板１１の取り出し部１１ａが開口から外部に突出した位置に維持されることになる。
【００２３】
テーブル板収納箱２１は、テーブル板１１が肘掛部外殻４ｂの内部に収納された場合にその周囲を覆うケース状部材であり、図３の（ａ）及び図３の（ｂ）に示すように、側面視が略扇形状を成している。テーブル板収納箱２１の内部は、テーブル箱収納空間２２を構成している。テーブル板収納箱２１は、扇形の中心が肘掛部４の前側上部に位置するように配設されている。テーブル板収納箱２１の上面は、長方形状に開口しており、その開口縁は、フランジ状に形成されたフランジ部２１ａとなっている。このフランジ部２１ａを、図５に示すように、肘掛部外殻４ｂの箱支持部４ｃ上に載置するようにして、テーブル板収納箱２１を肘掛部外殻４ｂに設置支持させている。従って、テーブル板収納箱２１は、持ち上げるだけで、肘掛部外殻４ｂから外部に取り出すことができる。即ち、テーブル板収納箱２１は、肘掛部外殻４ｂに対して着脱可能に配設されている。箱支持部４ｃは、肘掛部外殻４ｂの開口内周に沿って配設されるよう略コ字形に形成されている。箱支持部４ｃの上部端面にフランジ部２１ａが載置されている。
【００２４】
テーブル板収納箱２１内には、図６に示すように、テーブル板収納箱２１の開口の短手方向一方側に片寄せてテーブル板１１が配設されている。また、図３の（ｂ）及び図７に示すように、テーブル板収納箱２１の前面上部も開口しており、取付ブラケット１４が挿通されるようになっている。
【００２５】
テーブル板収納箱２１には、ガイド部２１ｂが形成されている。ガイド部２１ｂは、図５及び図６に示すように、テーブル板収納箱２１の後方側の上部に、上から下に向かって狭まる方向に傾斜するように形成されている。また、ガイド部２１ｂは、テーブル板収納箱２１の短手方向他方側に形成されている。即ち、ガイド部２１ｂは、収納されているテーブル板１１の裏面と向き合う位置に形成されている。テーブル板１１を収納する際には、ガイド部２１ｂによってテーブル板１１が確実にテーブル板収納箱２１内に案内されるようになっている。
【００２６】
テーブル板収納箱２１の開口は、蓋部材４ａによって開閉されるようになっている。蓋部材４ａは、略矩形板状に形成され、短手方向一端部が肘掛部外殻４ｂに軸支されている。従って、蓋部材４ａは、短手方向一端側を中心として回転することにより、開口を開閉するようになっている。また、蓋部材４ａの裏側には、図３の（ａ）に示すように、テーブル板１１をテーブル板収納箱２１に収納した状態の際に蓋部材４ａを閉じた状態とした場合に、テーブル板１１の開口より突出した端部と干渉しないように、凹部３１が設けられている。
【００２７】
上述のように構成された椅子１は、図１に示すテーブル板１１が収納された状態から、蓋部材４ａを回転させて開口を開放した状態とし、テーブル板１１を第１回転軸心１３ｂ回りに回転すれば、図８の状態を経て、図９に示すように、肘掛部４のテーブル板収納箱２１から外部に引き出した状態とすることができる。更に、その状態からテーブル板１１を第２回転軸心１３ｃ回りに回転させれば、図１０及び図１１に示すように、座面２ａの前部上方に載置面１１ｃを構成する姿勢でテーブル板１１を水平な状態に配置することができる。
【００２８】
一方、この状態から、テーブル板１１を第２回転軸心１３ｃ回りに先程とは逆の方向に回転させれば、テーブル板収納箱２１の開口延長域においてテーブル板１１を肘掛部４に沿った姿勢とすることができ、更に、第１回転軸心１３ｂ回りに先程とは逆に回転させれば、テーブル板１１を肘掛部４のテーブル板収納箱２１に収納した状態とすることができる。そして、蓋部材４ａを回転させて、図１に示すように閉じた状態とすることができる。この状態においては、肘掛部４の開口やテーブル板１１が外部に露出しないため、椅子１としての美観を何ら損なう恐れがない。
【００２９】
一方、蓋部材４ａを開放すれば、テーブル板１１は、図３の（ｂ）及び図５に示すように、テーブル板収納箱２１内に収納された状態において、テーブル板１１の取り出し部１１ａの端部がテーブル板収納箱２１の開口及び肘掛部外殻４ｂの開口よりも突出しているので、使用者は、引っ掛け部１１ｂに指をかけ易い。従って、使用者は、容易にテーブル板１１を引き出すことができる。これにより、肘掛部外殻４ｂの開口及びテーブル板収納箱２１の開口を小さく構成することができ、テーブル板１１を外部に引き出した状態であっても、テーブル板収納箱２１の内部に異物が進入する可能性を低減させることが可能になる。
【００３０】
また、テーブル板収納箱２１は、肘掛部４内に着脱可能に配設されているので、仮に鉛筆などの物体が、テーブル板収納箱２１内に落ちた場合でも、テーブル板収納箱２１自体を肘掛部４から取り出して、物体を容易に取り出すことができる。
【００３１】
尚、本実施の形態においては、蓋部材４ａの裏側に凹部を設けた形状としているが、テーブル板１１がテーブル板収納箱２１内に収納された状態において、テーブル板収納箱２１の開口から突出したテーブル板１１の取り出し部１１ａの端部が、蓋部材４ａと干渉せず、開口を閉塞状態とすることができる形状であればよい。即ち、開口から突出したテーブル板１１の取り出し部１１ａの端部が収納される空間があればよい。
【００３２】
また、本実施の形態においては、テーブル板１１がテーブル板収納箱２１内に収納された状態において、テーブル板１１の取り出し部１１ａの端部が、テーブル板収納箱２１の開口から突出するように取付ブラケット１４に係止部１４ａを設けているが、テーブル板収納箱２１内にテーブル板１１と当接してテーブル板１１をそれ以上回転させないような係止部を設けてもよい。
【００３３】
さらに、本実施の形態では、肘掛部の上端にテーブル板を出し入れするための開口を設けるようにしているが、肘掛部の前端等、端面に開口を設けるようにしてもよい。
【符号の説明】
【００３４】
１      椅子
２      座部
２ａ      座面
３，４      肘掛部
４ａ      蓋部材
４ｂ      肘掛部外殻
４ｃ      箱支持部
５      背もたれ部
１１      テーブル板
１１ａ      取り出し部
１１ｂ      引っ掛け部
１１ｃ      載置面
１２      回転機構取付部
１３      回転機構
１３ａ      ヒンジプレート
１３ｂ      第１回転軸心
１３ｃ      第２回転軸心
１４      取付ブラケット
１４ａ      係止部
２１      テーブル板収納箱
２１ａ      フランジ部
２１ｂ      ガイド部
２２      テーブル箱収納空間
３１      凹部
【図１】
2011217845.tif 000003
【図２】
2011217845.tif 000004
【図３】
2011217845.tif 000005
【図４】
2011217845.tif 000006
【図５】
2011217845.tif 000007
【図６】
2011217845.tif 000008
【図７】
2011217845.tif 000009
【図８】
2011217845.tif 000010
【図９】
2011217845.tif 000011
【図１０】
2011217845.tif 000012
【図１１】
2011217845.tif 000013